(57)【要約】  挿入端部から表面端部まで延在する軸方向ボアを囲む壁を有する中空シール本体と、閉鎖部と係合するための、表面端部の周りの閉鎖構成物と、閉鎖構成物と係合したときにシール本体の表面端部でボアのオリフィスを閉じるための閉鎖部と、挿入に、もしくはその周りに、またはシール本体の挿入端部と表面端部との中間にある一方向弁手段であって、液体が軸方向ボアを通って表面端部から挿入端部まで流れるのを可能にするが、液体が軸方向ボアを通って挿入端部から表面端部まで流れるのを防ぐように構成されている一方向弁手段と、コンクリートスラブを貫通して空けられた穴部の内表面に対してシール本体の壁を密封するための、シール本体の壁における外表面の周りの外部シール手段と、シール本体のボアに挿入されたときのインジェクタの外面に対してシール本体の壁を密封するための、シール本体の壁における内表面の周りの内部シール手段とを含むシロアリバリアシール。【選択図】図４
2015506670.tif 000002
【特許請求の範囲】
【請求項１】
挿入端部から表面端部まで延在する軸方向ボアを囲む壁を有する中空シール本体と、
閉鎖部と係合するための、前記表面端部の周りの閉鎖構成物と、
前記閉鎖構成物と係合したときに前記シール本体の前記表面端部で前記ボアのオリフィスを閉じるための前記閉鎖部と、
前記挿入に、もしくはその周りに、または前記シール本体の前記挿入端部と前記表面端部との中間にある一方向弁手段であって、液体が前記軸方向ボアを通って前記表面端部から前記挿入端部まで流れるのを可能にするが、液体が前記軸方向ボアを通って前記挿入端部から前記表面端部まで流れるのを防ぐように構成されている一方向弁手段と、
コンクリートスラブを貫通して空けられた穴部の内表面に対して前記シール本体の前記壁を密封するための、前記シール本体の前記壁における外表面の周りの外部シール手段と、
前記シール本体の前記ボアに挿入されたときのインジェクタの外面に対して前記シール本体の前記壁を密封するための、前記シール本体の前記壁における内表面の周りの内部シール手段と
を含むことを特徴とするシロアリバリアシール。
【請求項２】
請求項１に記載のシロアリバリアシールにおいて、前記一方向弁手段が、前記表面端部から前記挿入端部の方への相対移動により、密封位置から開位置まで移動することによって開けられ得る１対の対向するゲート部材として設けられていることを特徴とするシロアリバリアシール。
【請求項３】
請求項２に記載のシロアリバリアシールにおいて、前記ゲート部材が、開閉移動を行うように閉位置から閉位置まで弾性的にたわみ可能であることを特徴とするシロアリバリアシール。
【請求項４】
請求項３に記載のシロアリバリアシールにおいて、各ゲート部材が、他方と密封係合する当接面を含み、かつ、前記挿入端部から前記表面端部に加えられた圧力が互いに対して前記当接面の追加的な閉鎖力および密封力を加えるように、前記ゲート構成物の残りの部分に対して形成されていることを特徴とするシロアリバリアシール。
【請求項５】
請求項１に記載のシロアリバリアシールにおいて、前記一方向弁手段が、前記入口の周りの前記壁における前記挿入端部から前記ボアまで延在する複数のフラップまたは指の形態で設けられており、前記フラップが、隣接する１つまたは複数の当接可能側縁部に対して密封当接する当接可能側縁部を有することを特徴とするシロアリバリアシール。
【請求項６】
請求項５に記載のシロアリバリアシールにおいて、前記当接可能側縁部が互いに離間し、それによって液体が前記シール本体の前記ボアを通って前記表面端部から前記挿入端部まで通過することが可能になる開位置と、前記当接可能側縁部が隣接するフラップの１つまたは複数の当接可能側縁部に対して密封当接し、前記挿入端部から前記表面端部まで通過する液体に対して前記フラップが前記シール本体の前記ボアを一括して密封するように、前記当接可能側縁部が配置されている密閉位置との間で、前記フラップが移動可能であることを特徴とするシロアリバリアシール。
【請求項７】
請求項６に記載のシロアリバリアシールにおいて、前記フラップがそれらの密封当接位置にあるときに円錐形状で設けられており、円錐の頂点から前記円錐の底面まで延在し、前記円錐の底面の周囲に対して実質的に直角であるスリットによって、各フラップがその当接する隣接フラップから分割されていることを特徴とするシロアリバリアシール。
【請求項８】
請求項１乃至７の何れか１項に記載のシロアリバリアシールにおいて、前記一方向弁手段が、シール本体スタブとしての前記シール本体の残りの部分とは別個のシール要素として取り外し可能であり、前記シール要素が、第２の密封構成物によって前記シール本体スタブと密封係合可能であることを特徴とするシロアリバリアシール。
【請求項９】
請求項８に記載のシロアリバリアシールにおいて、前記内部シール手段が、前記第２の密封構成物で形成されていることを特徴とするシロアリバリアシール。
【請求項１０】
請求項１乃至９の何れか１項に記載のシロアリバリアシールにおいて、前記閉鎖キャップを前記シール本体に接合するための可撓性取付部を含み、前記閉鎖キャップが、前記シール本体の前記表面端部の周りにある前記閉鎖構成物と密封係合するように形成された相補構成物を含むことを特徴とするシロアリバリアシール。
【請求項１１】
請求項１０に記載のシロアリバリアシールにおいて、閉鎖シールが、前記密封キャップと前記相補構成物との間に密封配置されるように設けられていることを特徴とするシロアリバリアシール。
【請求項１２】
請求項１０または請求項１１に記載のシロアリバリアシールにおいて、前記可撓性取付手段がライブヒンジとして設けられ、それによって、前記シール本体を貫通する前記ボアの前記オリフィスを前記閉鎖キャップが密閉する閉位置と、前記シール本体を貫通する前記ボアの前記オリフィスから前記閉鎖キャップが実質的に離れている開位置とから、前記閉鎖キャップが前記シール本体に対して移動され得ることを特徴とするシロアリバリアシール。
【請求項１３】
請求項１０乃至請求項１２の何れか１項に記載のシロアリバリアシールにおいて、前記外部シール手段が、前記シール本体の前記壁の前記外面から外方へ延在する半径方向の突出部を含むことを特徴とするシロアリバリアシール。
【請求項１４】
請求項１３に記載のシロアリバリアシールにおいて、前記シール手段が、実質的に同じ形状の複数の離間した突出部を含むことを特徴とするシロアリバリアシール。
【請求項１５】
請求項１３または請求項１４に記載のシロアリバリアシールにおいて、前記突出部が、前記シール本体の前記壁の前記外面から半径方向外方へ延在する、１組の規則的に離間した環状ディスク構成物として設けられていることを特徴とするシロアリバリアシール。
【請求項１６】
請求項１１または請求項１２に記載のシロアリバリアシールにおいて、前記外部シール手段が、前記シール本体の前記壁における前記外面の周りの１つもしくは複数の周辺チャンネルと、前記１つもしくは複数のチャンネルに挿入可能なガスケットまたはＯリングとを含むことを特徴とするシロアリバリアシール。
【請求項１７】
請求項１６に記載のシロアリバリアシールにおいて、前記外部シール手段が、コンクリートスラブの下の土に殺シロアリ製剤を注入するための、前記スラブに形成されたか、または貫通して空けられたボア穴部の内面に対して締まりばめを形成するのに十分な距離だけ半径方向外方へ延在していることを特徴とするシロアリバリアシール。
【請求項１８】
請求項１乃至請求項１７の何れか１項に記載のシロアリバリアシールにおいて、前記内部シール手段が、前記シール本体の前記壁の前記内面から内方へ延在する半径方向の突出部を含むことを特徴とするシロアリバリアシール。
【請求項１９】
請求項１８に記載のシロアリバリアシールにおいて、前記内方突出部が、前記外部シール手段の前記外部突出部と実質的に同じ形状であるが、逆の半径方向であることを特徴とするシロアリバリアシール。
【請求項２０】
コンクリートスラブを貫通する複数の小孔を通して前記コンクリートスラブの下の地面にシロアリバリアを確立または維持する方法において、
各小孔内にシールを設けるステップであって、各シールが、前記コンクリートスラブの下の前記地面に隣接する挿入端部と、前記挿入端部から遠く離れた表面端部とを有するステップと、
前記シールのうちの１つの中に密封挿入されたインジェクタノズルによって殺シロアリ流体を注入するステップであって、前記シール内に組み込まれた一方向弁手段によって、前記コンクリートスラブの下の前記地面から残りの小孔を通して前記殺シロアリ流体が放出されるのを防ぐステップと
を含むことを特徴とする方法。
【請求項２１】
請求項２０に記載の方法において、前記シールの前記表面端部で前記ボアの前記オリフィスを閉じるための閉鎖キャップを用いて、前記シールに覆いを被せるステップを含むことを特徴とする方法。
【発明の詳細な説明】
【技術分野】
【０００１】
本発明は、シロアリバリアシールに関する。本発明は特に、コンクリートスラブの下の土からの意図しない殺シロアリ製剤の漏れに対してコンクリートスラブを密封するためのシロアリバリアシールに適用される。
【０００２】
化学的形態のシロアリバリアは、通常、互いに一定間隔でコンクリートスラブに貫通する孔を通してコンクリートスラブの下の土に液体の殺シロアリ製剤を注入することによって確立および維持される。シロアリバリアを維持するには、孔を通して殺シロアリ製剤を定期的に注入することが必要である。この技術は十分確立されているが、殺シロアリ製剤が注入される孔に隣接する孔からと同様に、底土からも、液体を注入するのにインジェクタが使用される孔を通って殺シロアリ製剤が漏れ得ることが長い間問題になっている。
【０００３】
シャフトに沿って軸方向に離間した一連のディスクと、コンクリートスラブを貫通して空けられた穴部にプラグが挿入され得るシャフトの成形「挿入」端部と、他方の端部上のディスク状キャッピング部において、プラグは表面端部ディスクがコンクリートスラブの上部表面と実質的に平面的に一直線になるまで穴部に挿入するためのものであるため、便宜上、本明細書では「表面」端部と呼ぶディスク状キャッピング部とを、それぞれが典型的に有するプラグが提供されている。しかしながらプラグは、殺シロアリ製剤を注入するために空けられた穴部の装飾的閉鎖部を超える働きをし、軸方向に離間したディスクは、コンクリートスラブ全体にわたる液体の移動に対して密封するためではなく、プラグを穴部内に保持するために設けられている。いくらかの密封機能が付随的に提供され得るが、殺シロアリ製剤がサブスラブ土に注入されたときに受ける流体圧力に対するものではないことが理解される。
【０００４】
本発明は、１つまたは複数の前記問題を軽減するシロアリバリアシールを提供することを目的とする。本発明の他の目的および利点は、以下の説明から明らかになり得る。
【０００５】
上記を考慮し、一態様では、本発明は概して、
挿入端部から表面端部まで延在する軸方向ボアを囲む壁を有する中空シール本体と、
閉鎖構成物であって、閉鎖構成物と係合したときにシール本体の表面端部でボアのオリフィスを閉じるための閉鎖キャップと係合するための、表面端部の周りの閉鎖構成物と、
挿入端部に、もしくはその周りに、またはシール本体の挿入端部と表面端部との中間にある一方向弁手段であって、液体が軸方向ボアを通って表面端部から挿入端部まで流れるのを可能にするが、液体が軸方向ボアを通って挿入端部から表面端部まで流れるのを防ぐように構成されている一方向弁手段と、
コンクリートスラブを貫通して空けられた穴部の内表面に対してシール本体の壁を密封するための、シール本体の壁における外表面の周りの外部シール手段と、
シール本体のボアに挿入されたときのインジェクタの外面に対してシール本体の壁を密封するための、シール本体の壁における内表面の周りの内部シール手段と
を含むシロアリバリアシールにある。
【０００６】
別の態様では、本発明は概して、複数の小孔を通してコンクリートスラブの下の地面にシロアリバリアを確立または維持する方法において、
各小孔内にシールを設けるステップであって、各シールが、コンクリートスラブの下の地面に隣接する挿入端部と、挿入端部から遠く離れた表面端部とを有するステップと、
シールのうちの１つの中に密封挿入されたインジェクタノズルによって殺シロアリ流体を注入するステップであって、シール内に組み込まれた一方向弁手段により、コンクリートスラブの下の地面から残りの小孔を通して殺シロアリ流体が放出されるのを防ぐステップと
を含む方法にある。
【０００７】
シールは、インジェクタの周りと、コンクリートスラブを貫通する小孔の周りとを密封するための内部シールおよび外部シールを含むことが好ましい。方法は、シールの表面端部でボアのオリフィスを閉じるための閉鎖キャップを用いて、シールに覆いを被せるステップを含むことが好ましい。
【０００８】
閉鎖キャップは、シール本体に取り付けられるか、またはシール本体と一体的に形成され、可撓性取付構成物によって閉鎖部がシール本体に接合されてもよい。閉鎖キャップは、シール本体の表面端部の周りにある閉鎖構成物と密封係合するように形成された相補構成物を含む。密封キャップと相補構成物との間には、閉鎖シールが密封配置されるように設けられるのが好ましい。
【０００９】
付属の閉鎖キャップとして設けられる場合、可撓性取付手段はライブヒンジとして設けられ、それによって、シール本体を貫通するボアのオリフィスを閉鎖キャップが密閉する閉位置と、シール本体を貫通するボアのオリフィスから閉鎖キャップが実質的に離れている開位置とから、閉鎖キャップがシール本体に対して移動され得る。
【００１０】
一方向弁手段は、表面端部から挿入端部の方への相対移動により、密封位置および開位置から移動することによって開けられ得る１対の対向するゲート部材として設けられることが好ましい。ゲート部材は、開閉移動を行うように閉位置から弾性的にたわみ可能であり、さらにそれぞれは当接面を含む。各当接面は、他方と密封係合し、かつ、挿入端部から表面端部に加えられた圧力が互いに対して当接面の追加的な閉鎖力および密封力を加えるように、ゲート構成物の残りの部分に対して形成されている。
【００１１】
あるいは、一方向弁手段は、入口の周りの壁における挿入端部からボアまで延在して形成された複数のフラップまたは指の形状で設けられ、フラップは、隣接するフラップの１つまたは複数の当接可能側縁部に対して密封当接する当接可能側縁部を有する。そのような形態では、当接可能側縁部が互いに離間し、それによって液体がシール本体のボアを通って表面端部から挿入端部まで通過することが可能になる開位置と、当接可能側縁部が隣接するフラップの１つまたは複数の当接可能側縁部に対して密封当接し、挿入端部から表面端部まで通過する液体に対してフラップがシール本体のボアを一括して密封するように、当接可能側縁部が配置されている密閉位置との間で、フラップが移動可能である。そのような形態では、フラップはそれらの密封当接配置にあるときに円錐形状で設けられることが好ましく、円錐の頂点から円錐の底面まで延在し、かつ円錐の底面の周囲に対して実質的に直角であるスリットによって、各フラップはその当接する隣接フラップから分割されている。
【００１２】
一方向弁手段は、シール本体の残りの部分とは別個の要素として、取り外し可能であることが好ましい。便宜上、別個の要素はシール要素と呼ばれ、シール本体の残りの部分はシール本体スタブと呼ばれる。そのような形態では、シール要素は、第２の密封構成物によってシール本体スタブと密封係合されてもよい。
【００１３】
外部シール手段は、シール本体の壁の外面から外方へ延在する半径方向の突出部を含むことが好ましい。シール手段は、実質的に同じ形状の複数の離間した突出部を含むことがより好ましい。好ましい形態では、突出部は、シール本体の壁の外面から半径方向外方へ延在する、１組の規則的に離間した環状ディスク構成物として設けられている。
【００１４】
あるいは、外部シール手段は、シール本体の壁における外面の周りの１つもしくは複数の周辺チャンネルと、１つもしくは複数のチャンネルに挿入可能なガスケットまたはＯリングとを含む。各代替形態では、外部シール手段は、コンクリートスラブの下の土に殺シロアリ製剤を注入するための、スラブに形成されたか、または貫通して空けられたボア穴部の内面に対して締まりばめを形成するのに十分な距離だけ半径方向外方へ延在している。
【００１５】
内部シール手段は、シール本体の壁の内面から内方へ延在する半径方向の突出部を含むことが好ましい。内方突出部は、外部シール手段の外部突出部と実質的に同じ形状であるが、逆の半径方向であることが好ましい。別個のシール要素およびシール本体スタブを有する好ましい形態では、内部シール手段は、第２の密封構成物で形成されている。
【００１６】
シロアリバリアシールは、ポリエチレン、ポリプロピレン、ポリブチレン、もしくは同様のそのようなポリオレフィン材料、または熱可塑性材料などの、剛直であるが弾力性のあるプラスチック材料から形成されることが好ましい。あるいは、熱硬化性エラストマー材料も使用されてもよい。
【００１７】
本発明がより容易に理解され、実施され得るように、ここで本発明の例示的実施形態について以下の図面を参照しながら説明する。
【図面の簡単な説明】
【００１８】
【図１】図１は、本発明によるシロアリバリアシールの透視図である。
【図２】図２は、図１のシロアリバリアシールの前方立面図である。
【図３】図３は、図１のシロアリバリアシールを下から見た平面図である。
【図４】図４は、図３の切断線４−４における、図１のシロアリバリアシールの断面図である。
【図５】図５は、図１のシロアリバリアシールの本体部の透視図である。
【図６】図６は、図５の本体部の前方立面図である。
【図７】図７は、図５の本体部の平面図である。
【図８】図８は、図７の切断線５−５における、図５の本体部の断面図である。
【図９】図９は、図１のシロアリバリアシールのキャップ部の透視図である。
【図１０】図１０は、図９のキャップ部の前方立面図である。
【図１１】図１１は、図９のキャップ部の平面図である。
【図１２】図１２は、図１１の切断線６−６における、図９の本体部の断面図である。
【図１３】図１３は、本発明による別のシロアリバリアシールを上から見た透視図である。
【図１４】図１４は、図１３のシロアリバリアシールを上から見た分解図である。
【図１５】図１５は、図１３のシロアリバリアシールの分解側断面図である。
【図１６】図１６は、図１３のシロアリバリアシールの正面断面図である。
【図１７】図１７は、本発明による代替シロアリバリアシールを上から見た透視図である。
【図１８】図１８は、図１７の代替シロアリバリアシールを下から見た透視図である。
【図１９】図１９は、図１６の切断線７−７における、代替シロアリバリアシールの断面図である。
【図２０】図２０は、図１３の代替シロアリバリアシールの正射投影前方立面図である。
【図２１】図２１は、図１３の代替シロアリバリアシールの正射投影側面図である。
【図２２】図２２は、図１３の代替シロアリバリアシールの上から見た正射投影平面図である。
【図２３】図２３は、図１３の代替シロアリバリアシールを下から見た正射投影平面図である。
【００１９】
シロアリバリアシール１０を図１〜図４に示すが、これは２つの部品からなっており、それら本体部１１およびキャップ部１２を図５〜図１２に示す。シロアリバリアシールおよびその構成部品はそれぞれ、表面端部１５および挿入端部１６を有する。本体部は、表面端部から軸方向にわたって延在し、挿入端部の、または挿入端部近くのブラインド端部で終端して膜２１を形成する成形中心ボア２０を含む。成形中心ボアは、膜の内面を形成する逆ドーム部２２を含み、膜の外面は、本体部のその部分の外表面によって、実質的に平面かつ実質的に円形に形成されている。
【００２０】
特に図４を参照すると、成形中心ボアはまた、ドーム部から表面端部の方へ軸方向に垂れ下がり、かつインジェクタの外面と係合するように寸法付けられた係合部２３を有し、その直径は、インジェクタが成形中心ボアに挿入されたときにインジェクタの外面と締まりばめを形成するように選択される。成形中心ボアはまた、係合部から表面端部の方へ軸方向に垂れ下がり、かつ係合部の直径より大きい直径を有するプレナム部２４を有する。成形中心ボアはまた、プレナム部から成形中心ボアの表面端部オリフィスまで延在するリブ２５を有し、リブ部分は、代表的に２７で示した対応する環状チャンネルによって分離された、代表的に２６で示した軸方向に離間した７つの内側リブを有し、内側リブおよびチャンネルは、断面が実質的に正方形である。
【００２１】
本体部の外表面は、表面端部の周りの、互いに軸方向に離間した３つの表面端部リブ３１と、表面端部リブから軸方向に延在し、互いに軸方向に離間した４つの中間リブ３２とを有し、表面端部から最も遠い表面端部リブが、表面端部に最も近い中間リブと結合リブ３３で結合する。上記リブのカウントには結合リブを含むことが理解される。表面端部リブは、鋸歯形状を有し、形状の傾斜側面は、表面端部に対向している。中間リブは、表面端部リブの鋸歯形状と実質的に同一の寸法で、逆さまの鋸歯形状を有する。外部リブは、成形中心ボアに沿って延在する内側リブとおよそ同じ長さだけ外表面に沿って軸方向に延在する。
【００２２】
本体部の挿入端部は、先述の膜の外面を形成するクレータ状凹部３４内で終端し、凹部は、円錐台形部３６まで軸方向に向かう実質的に筒状の側壁を備えたリップ３５を有する。円錐台形部は、軸方向に延在し、ヒップ部３７内で終端する。ウエスト部３８は、ヒップ部と、挿入端部に最も近い中間リブとの間に軸方向に配置されている。ウエスト部の軸方向の配置は、成形中心ボアに沿ったプレナム部の軸方向の配置に近い。
【００２３】
図１０に示したキャップ部は、円形で、かつ直径が、本体部の表面端部の外径よりわずかに小さい閉鎖ディスク４１を有する。キャップ把持部４２は、閉鎖ディスクからキャップ部の挿入端部まで軸方向に延在するキャップ部の残りの部分を構成し、かつ、代表的に４６で示した対応する相補チャンネルによって分離され、端部リベート４４で終端する代表的に４７で示した複数の相補リブを有する。相補リブは、対応する環状チャンネルと係合するように寸法付けされ、互いに離間し、また相補チャンネルは、本体部の内側リブによって係合されるように寸法付けされている。
【００２４】
図１３〜図１６に示した他のシロアリバリアシール１１０は、中空シール本体１１１において、中空シール本体１１１を貫通して延在するボア１１２と、外面に沿って軸方向に一定間隔で離間した代表的に１１３で示した５つの環状ディスク状突出部１組とを有する中空シール本体１１１を含む。中空シール本体は、表面端部１１４および挿入端部１１５を有し、そのように呼ばれるのは、挿入端部は、シロアリバリアシールがコンクリートスラブなど内の密封すべき穴部に挿入される端部であり、またそのように挿入され、表面端部は、コンクリートスラブなどの表面と実質的に一直線になるように挿入されるからである。
【００２５】
密封キャップ１１６は、中空シール本体の表面端部のオリフィスの周りの相補密封構成物１１７の周りで密封係合するように設けられている。密封キャップは、実質的に円形のキャッピングディスク１１９から下方へ垂れ下がる筒状部の周りの密封構成物１１８を有する。
【００２６】
中空シール本体は、中空シール本体のおよそ半分の長さだけ挿入端部から軸方向に延在する筒状部１２０と、シール本体の表面端部から筒状部まで延在するテーパ部１２１とを有する。弁支持構成物１２２は、ボアの内面から内方へ突出している。弁支持構成物は、半径方向内方へ延在するフランジ部１２３と、フランジ部の内縁部から、一部表面端部の方へ軸方向に延在する壁部１２４とを有する。壁部はボアの内面から内方に離間して、環状チャンネル１２５が設けられており、環状チャンネル１２５の底部はフランジ部の一部によって形成されている。
【００２７】
弁本体１３０は、中空シール本体のテーパ部に挿入するための別個の要素として設けられている。弁本体は、弁要素支持リング１３２から軸方向に垂れ下がるスカート１３１を含む。スカートは、中空シール本体のテーパ部のテーパ状内面と実質的に対応するテーパ状外面を有する。またスカートの遠位端部は、弁支持構成物の環状チャンネルに対応する。
【００２８】
弁本体は、対向する２つのゲート部１３３を有し、それらのうちの１つは図１５の断面図で見ることができ、それらの両方は図１４および図１６で見ることができる。各ゲート部は、弁本体の２等分面と実質的に一直線になる当接面１３４を有する。可撓性フランジ部１３５は、弁要素支持リングにゲート部を連結し、弁本体の中で殺シロアリ剤インジェクタのノズルなどの固形体によって変位したときに、ゲート部が互いから、および弁要素支持リングから遠ざかるように動かす。
【００２９】
環状保持シール１３５は、密封キャップと、中空シール本体の相補密封構成物との間に配置される。環状保持シールの外縁部１３６は、中空シール本体の相補密封部と係合し、内縁部１３７は、密封キャップの密封構成物と係合する。環状保持シールはまた、弁要素支持リングの上面と係合することによって、弁本体を保持する。
【００３０】
図１７〜図２３に示した代替シロアリバリアシール１４０は、一体型中空シール本体１４１と、挿入端部１４４から表面端部１４５まで延在する軸方向ボア１４３を囲む壁１４２とを含む。壁は、挿入端部から２つの外部シールバンドまで延在する筒状部１４６を含み、２つの外部シールバンドは、シール本体の壁の外面から半径方向外方へ延在し、かつ、筒状部から表面端部の方へ軸方向に、また中間筒状部１４９によって互いに離間した下部シールバンド１４７および上部シールバンド１４８である。
【００３１】
シール本体の壁の上部筒状部１５０は、上部シールバンドから軸方向に延在し、壁の表面端部は、壁の外面から半径方向外方へ延在するフランジ５１をもって終端し、フランジの半径方向の範囲は、外部シールバンドの半径方向の範囲より若干大きい。外部シールバンドは、壁の接線断面において実質的に半円であり、シール本体の周りに半円のリッジを設けている。図１９の断面図からわかるように、外部シールバンドはそれぞれ、これも断面が実質的に半円である内周チャンネル１５２を形成している。シールバンドは、シロアリバリアシールが挿入されるコンクリートスラブを貫通して空けられた穴部の内表面と密封係合するように形成されている。
【００３２】
閉鎖蓋１５３は、連結バンド１５４によってフランジの外縁部に取り付けられている。閉鎖蓋は、筒状本体部１５５と、筒状本体部の一方の端部、すなわち外端部から半径方向内方および外方へ延在する円形キャップ部１５６とを含む。筒状本体部の外面１５７は、シール本体の上部壁部の内面１５８と係合することによってシール本体のボアに密封嵌合するように寸法付けされており、閉鎖蓋は、連結バンドの可撓性により、シール本体に対して移動可能である。
【００３３】
一方向弁アセンブリ１５９は、シール本体の壁の挿入端部に設けられ、そこから延在している。弁アセンブリは、液体が軸方向ボアを通って表面端部から挿入端部まで流れるのを可能にするが、液体が軸方向ボアを通って挿入端部から表面端部まで流れるのを防ぐ。弁アセンブリは、代表的に１６０で示した４つの円錐セグメントを含み、各円錐セグメントは、示したような完全な円錐を形成するために、他の２つの円錐セグメントに当接して並んで配置されており、円錐セグメントは、円錐の頂点１６２から軸方向および半径方向に延在する代表的に１６１で示したスリットによって、互いに離間している。円錐セグメントは、弾性的に可撓性のある材料から形成されており、その結果、表面端部から挿入端部までの液圧により、円錐セグメントが互いに遠ざかるように外方へ屈曲する。逆方向、すなわち挿入端部から表面端部へ液圧をかけると、円錐セグメントは互いの方に付勢され、密封係合する。
【００３４】
図１９からわかるように、内部シール構成物は、シール本体の壁における内面の周りに形成された環状リッジ６３の形状で設けられている。環状リッジは、シール本体の壁の内面から内方へ突出している実質的に半円の断面を有し、下部シールバンドと、シール本体の壁の挿入端部との中間であるが、挿入端部により近いところに間隔をおいて配置されている。一方向弁アセンブリの円錐セグメントがインジェクタによって押し開けられるかどうかに関係なく、シール本体のボアの中を流れる液体に対してインジェクタが密封されるように、本発明による、シロアリバリアシールの関連要素と、そのようなシールを挿入すべき穴部との相対的寸法が選択される。
【００３５】
使用ときには、コンクリートスラブなどに空けられたか、または形成された穴部に１つずつ挿入するために、本発明による複数のシロアリバリアシールが設けられる。蓋は通常閉じているが、殺シロアリ化学製剤が注入され得るインジェクタのノズルを挿入するために開けられてもよい。弁アセンブリのゲート部材または円錐セグメントは、液体がスラブの下から穴部の中を流れるのを防ぐ。インジェクタは、バリアシールのうちの１つに挿入され、内部シールは、液体がノズルとシールとの間の穴部の中を逆流するのを防ぐ。外部リブまたは外部突出部もまた、液体が穴部の中を逆流するのを防ぐ。
【００３６】
閉鎖蓋は、インジェクタが引き抜かれるごとに、各シロアリバリアシールを閉じるために使用され、連続バリアシールは、コンクリートスラブまたはスラブの下に必要量の殺シロアリ化学製剤を施すために、順番に、または所定順序によって使用される。弁本体が中空シール本体内に保持されるのを妨げることなく、密封キャップが取り外され、取り替えられ得るように、環状保持シールが外縁部の中空シール本体の相補密封部と係合するより小さい係合力で、環状保持シールの内縁部と係合するように、密封キャップの密封構成物の係合が構成されている。
【００３７】
本発明について特定の例を参照しながら説明してきたが、本明細書で記載し、以下の請求項で定義する本発明の広い範囲内および領域内において、本発明が他の形態で具体化され得ることを当業者は理解する。
【図１】
2015506670.tif 000003
【図２】
2015506670.tif 000004
【図３】
2015506670.tif 000005
【図４】
2015506670.tif 000006
【図５】
2015506670.tif 000007
【図６】
2015506670.tif 000008
【図７】
2015506670.tif 000009
【図８】
2015506670.tif 000010
【図９】
2015506670.tif 000011
【図１０】
2015506670.tif 000012
【図１１】
2015506670.tif 000013
【図１２】
2015506670.tif 000014
【図１３】
2015506670.tif 000015
【図１４】
2015506670.tif 000016
【図１５】
2015506670.tif 000017
【図１６】
2015506670.tif 000018
【図１７】
2015506670.tif 000019
【図１８】
2015506670.tif 000020
【図１９】
2015506670.tif 000021
【図２０】
2015506670.tif 000022
【図２１】
2015506670.tif 000023
【図２２】
2015506670.tif 000024
【図２３】
2015506670.tif 000025
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
挿入端部から表面端部まで延在する軸方向ボアを囲む壁を有する中空シール本体と、
閉鎖部と係合するための、前記表面端部の周りの閉鎖構成物と、
前記閉鎖構成物と係合した時に前記シール本体の前記表面端部で前記ボアのオリフィスを閉じるための前記閉鎖部と、
前記挿入端部に、もしくはその周りに、または前記シール本体の前記挿入端部と前記表面端部との中間にある、前記ボアへ延在するように前記壁に取り付けられた１対の対向するゲート部材であって、前記部材が、前記表面端部から前記挿入端部の方への相対的な弾性的たわみにより、密封位置から開位置まで移動することによって開けられ得、かつ、液体が前記軸方向ボアを通って前記表面端部から前記挿入端部まで流れるのを可能にするが、液体が前記軸方向ボアを通って前記挿入端部から前記表面端部まで流れるのを防ぐように構成され得、それによって一方向弁手段を設けるゲート部材と、
コンクリートスラブを貫通して空けられた穴部の内表面に対して前記シール本体の前記壁を密封するための、前記シール本体の前記壁における外表面の周りの外部シール手段と、
前記シール本体の前記ボアに挿入された時のインジェクタの外面に対して前記シール本体の前記壁を密封するための、前記シール本体の前記壁における内表面の周りの内部シール手段と
を含むシロアリバリアシールにおいて、
各ゲート部材が、他方と密封係合する当接面を含み、かつ、前記挿入端部から前記表面端部に加えられた圧力が互いに対して前記当接面の追加的な閉鎖力および密封力を加えるように、前記ゲート部材の残りの部分に対して形成されている
ことを特徴とするシロアリバリアシール。
【請求項２】
請求項１に記載のシロアリバリアシールにおいて、前記一方向弁手段が、前記入口の周りの前記壁における前記挿入端部から前記ボアまで延在する複数のフラップまたは指の形態で設けられており、前記フラップが、隣接する１つまたは複数の当接可能側縁部に対して密封当接する当接可能側縁部を有することを特徴とするシロアリバリアシール。
【請求項３】
請求項２に記載のシロアリバリアシールにおいて、前記当接可能側縁部が互いに離間し、それによって液体が前記シール本体の前記ボアを通って前記表面端部から前記挿入端部まで通過することが可能になる開位置と、前記当接可能側縁部が隣接するフラップの１つまたは複数の当接可能側縁部に対して密封当接し、前記挿入端部から前記表面端部まで通過する液体に対して前記フラップが前記シール本体の前記ボアを一括して密封するように、前記当接可能側縁部が配置されている密閉位置との間で、前記フラップが移動可能であることを特徴とするシロアリバリアシール。
【請求項４】
請求項３に記載のシロアリバリアシールにおいて、前記フラップがそれらの密封当接位置にある時に円錐形状で設けられており、円錐の頂点から前記円錐の底面まで延在し、前記円錐の底面の周囲に対して実質的に直角であるスリットによって、各フラップがその当接する隣接フラップから分割されていることを特徴とするシロアリバリアシール。
【請求項５】
請求項１乃至４の何れか１項に記載のシロアリバリアシールにおいて、前記一方向弁手段が、シール本体スタブとしての前記シール本体の残りの部分とは別個のシール要素として取り外し可能であり、前記シール要素が、第２の密封構成物によって前記シール本体スタブと密封係合可能であることを特徴とするシロアリバリアシール。
【請求項６】
請求項５に記載のシロアリバリアシールにおいて、前記内部シール手段が、前記第２の密封構成物で形成されていることを特徴とするシロアリバリアシール。
【請求項７】
請求項１乃至請求項６の何れか１項に記載のシロアリバリアシールにおいて、前記閉鎖キャップを前記シール本体に接合するための可撓性取付部を含み、前記閉鎖キャップが、前記シール本体の前記表面端部の周りにある前記閉鎖構成物と密封係合するように形成された相補構成物を含み、閉鎖シールが、前記密封キャップと前記相補構成物との間に密封配置されるように設けられていることを特徴とするシロアリバリアシール。
【請求項８】
請求項７に記載のシロアリバリアシールにおいて、前記可撓性取付手段がライブヒンジとして設けられ、それによって、前記シール本体を貫通する前記ボアの前記オリフィスを前記閉鎖キャップが密閉する閉位置と、前記シール本体を貫通する前記ボアの前記オリフィスから前記閉鎖キャップが実質的に離れている開位置とから、前記閉鎖キャップが前記シール本体に対して移動され得ることを特徴とするシロアリバリアシール。
【請求項９】
請求項７または請求項８に記載のシロアリバリアシールにおいて、前記外部シール手段が、前記シール本体の前記壁の前記外面から外方へ延在する半径方向の突出部を含むことを特徴とするシロアリバリアシール。
【請求項１０】
請求項９に記載のシロアリバリアシールにおいて、前記シール手段が、実質的に同じ形状の複数の離間した突出部を含むことを特徴とするシロアリバリアシール。
【請求項１１】
請求項９または請求項１０に記載のシロアリバリアシールにおいて、前記突出部が、前記シール本体の前記壁の前記外面から半径方向外方へ延在する、１組の規則的に離間した環状ディスク構成物として設けられていることを特徴とするシロアリバリアシール。
【請求項１２】
請求項７または請求項８に記載のシロアリバリアシールにおいて、前記外部シール手段が、前記シール本体の前記壁における前記外面の周りの１つもしくは複数の周辺チャンネルと、前記１つもしくは複数のチャンネルに挿入可能なガスケットまたはＯリングとを含むことを特徴とするシロアリバリアシール。
【請求項１３】
請求項１２に記載のシロアリバリアシールにおいて、前記外部シール手段が、コンクリートスラブの下の土に殺シロアリ製剤を注入するための、前記スラブに形成されたか、または貫通して空けられたボア穴部の内面に対して締まりばめを形成するのに十分な距離だけ半径方向外方へ延在していることを特徴とするシロアリバリアシール。
【請求項１４】
請求項１乃至請求項１３の何れか１項に記載のシロアリバリアシールにおいて、前記内部シール手段が、前記シール本体の前記壁の前記内面から内方へ延在する半径方向の突出部を含み、前記内方突出部が、前記外部シール手段の前記外部突出部と実質的に同じ形状であるが、逆の半径方向であることを特徴とするシロアリバリアシール。
【請求項１５】
コンクリートスラブを貫通する複数の小孔を通して前記コンクリートスラブの下の地面にシロアリバリアを確立または維持する方法において、
各小孔内に、請求項１に記載のシールを設けるステップと、
前記軸方向ボアにインジェクタノズルを挿入し、前記内部シール手段と密封係合させるステップと、
前記インジェクタノズルによって殺シロアリ流体を注入するステップであって、前記殺シロアリ流体が、前記対向するゲート部材を通過するが、他のシール内に組み込まれた前記一方向弁手段の操作によって前記コンクリートスラブの下の前記地面から残りの小孔を通して放出されるのを防ぐステップと、
前記インジェクタノズルを引き抜くステップであって、前記コンクリートスラブの下の前記地面から、前記インジェクタノズルが引き抜かれるシールを通して前記殺シロアリ流体が放出されるのも同様に防ぐステップと
を含むことを特徴とする方法。
【請求項１６】
請求項１５に記載の方法において、前記シールの前記表面端部で前記ボアの前記オリフィスを閉じるための閉鎖キャップを用いて、前記シールに覆いを被せるステップを含むことを特徴とする方法。
【国際調査報告】
2015506670.tif 000026
2015506670.tif 000027
2015506670.tif 000028
2015506670.tif 000029
2015506670.tif 000030